(57)【要約】【課題】照明光がカバーガラスを透過する際の反射光成分が本来の観察性能に悪影響を与えない手術顕微鏡の照明構造を提供する。【解決手段】照明光Ａの一部がカバーガラス１０の表面で反射されても、その反射光成分ａがミラー１２を外れた方向へ指向するため、反射光成分ａがミラー１２に当たることはなく、それが術野Ｇからの光束Ｌと一緒に観察用の光学系に導入されることがない。従って本来の観察性能に悪影響を与えることはない。【選択図】        図４
2019139124.tif 000002
【特許請求の範囲】
【請求項１】
手術顕微鏡が、左右一対の接眼部を前側に有する顕微鏡本体に、顕微鏡本体の下面に形成され且つ術野から反射した光束を光軸に沿って取り入れる光束取入口と、該光束取入口に取付けられる透明なカバーガラスと、顕微鏡本体の内部に設けられ光軸に沿って取入れられた光束を略直角に反射する共に光軸に対応する位置に光を透過する光学的な小孔を有するミラーと、ミラーで反射された光束を接眼部まで導く光学系とを備えた構造で、
前記ミラーの上部に照明光を光軸に沿って下向きに照射する照明照射部を設け、照明光が小孔に集光して通過した後にカバーガラスを透過して術野へ向けて拡散照射される手術顕微鏡の照明構造であって、
前記カバーガラスが光軸に対して非垂直状態で配置され、カバーガラスの表面で反射される照明光の反射光成分がミラーを外れた方向へ指向することを特徴とする手術顕微鏡の照明構造。
【請求項２】
光束取入口は少なくともその下端が水平に対して傾斜した筒状で、該光束取入口の下端にカバーガラスを有するキャップが取付けられることを特徴とする請求項１記載の手術顕微鏡の照明構造。
【発明の詳細な説明】
【技術分野】
【０００１】
本発明は手術顕微鏡の照明構造に関するものである。
【背景技術】
【０００２】
手術顕微鏡は、術野を光学的に拡大しながら観察して手術を行うためのものであり、左右一対の接眼部を前側に備えた顕微鏡本体を有している。顕微鏡本体の下面には光束取入口が形成され、術野から反射した光束を光軸に沿って顕微鏡本体の内部へ取入れている。光束取入口には水平なカバーガラスを有するキャップが取付けられ、光束取入口から顕微鏡本体の内部に埃などが侵入するのを防止している。
【０００３】
顕微鏡本体の内部には照明照射部が設けられ術野に向けて照明光を照射する。照射された照明光はカバーガラスを透過した後に術野に到達してそこで反射され前記光束取入口から顕微鏡本体の内部に取入れられる光束となる。
【０００４】
術野が深い穴状の場合は、照明光を底部まで届かせるために、照明光を術野に垂直な光軸に沿って真上から照射する必要がある。このように光軸に沿って真上から照射する照明構造を一般的に「ゼロ度照明」と言う。
【０００５】
ゼロ度照明を構成するための構造として、顕微鏡本体の内部における光軸上に術野から反射された光束を直角方向に曲げるミラーを設けている。ミラーで反射された光束は顕微鏡本体内部の観察用の光学系に導かれる。
【０００６】
このミラーの光軸合致点には１つの小孔が形成され、照明照射部はこのミラーの上部に配置されて照明光を下向きに照射する。照明照射部から照射された照明光はミラーの小孔に集光して通過した後にカバーガラスを透過し、光軸に合致したゼロ度照明として術野に照射される（例えば、特許文献１参照）。
【先行技術文献】
【特許文献】
【０００７】
【特許文献１】特許第５４２１７４１号公報
【発明の概要】
【発明が解決しようとする課題】
【０００８】
しかしながら、このような関連技術にあっては、照明照射部から下向きに照射された照明光はミラーの小孔を通過した後にカバーガラスを透過するため、照明光の一部がカバーガラスの表面で反射されて真上に向かう。真上に向かった反射光成分はミラーに当たりそこで直角に反射されるため、術野からの光束と一緒に観察用の光学系に導入されてしまい、本来の観察性能に悪影響を与えるおそれがある。
【０００９】
本発明は、このような従来の関連技術に着目してなされたものであり、照明光がカバーガラスを透過する際の反射光成分が本来の観察性能に悪影響を与えるおそれがない手術顕微鏡の照明構造を提供することを目的としている。
【課題を解決するための手段】
【００１０】
本発明の第１の技術的側面によれば、手術顕微鏡が、左右一対の接眼部を前側に有する顕微鏡本体に、顕微鏡本体の下面に形成され且つ術野から反射した光束を光軸に沿って取り入れる光束取入口と、該光束取入口に取付けられる透明なカバーガラスと、顕微鏡本体の内部に設けられ光軸に沿って取入れられた光束を略直角に反射する共に光軸に対応する位置に光を透過する光学的な小孔を有するミラーと、ミラーで反射された光束を接眼部まで導く光学系とを備えた構造で、前記ミラーの上部に照明光を光軸に沿って下向きに照射する照明照射部を設け、照明光が小孔に集光して通過した後にカバーガラスを透過して術野へ向けて拡散照射される手術顕微鏡の照明構造であって、前記カバーガラスが光軸に対して非垂直状態で配置され、カバーガラスの表面で反射される照明光の反射光成分がミラーを外れた方向へ指向することを特徴とする。
【００１１】
本発明の第２の技術的側面によれば、光束取入口は少なくともその下端が水平軸に対して傾斜した筒状で、該光束取入口の下端にカバーガラスを有するキャップが取付けられることを特徴とする。
【発明の効果】
【００１２】
本発明の第１の技術的側面によれば、カバーガラスが光軸に対して非垂直状態で配置され、照明光の一部がカバーガラスの表面で反射されても、その反射光成分がミラーを外れた方向へ指向するため、照明光の一部が反射光成分としてミラーに当たることはなく、それが術野からの光束と一緒に観察用の光学系に導入されることがない。従ってゼロ度照明にしても照明光が本来の観察性能に悪影響を与えることはない。
【００１３】
本発明の第２の技術的側面によれば、筒状の光束取入口における傾斜した下端にカバーガラスが取付けられるため、カバーガラスの表面で反射された照明光の反射光成分は筒状の光束取入口の内壁に当たることとなり、ミラーに当たらない。
【図面の簡単な説明】
【００１４】
【図１】手術顕微鏡を示す側面図。
【図２】手術顕微鏡を示す断面図。
【図３】ミラー及び照明照射部を示す斜視図。
【図４】カバーガラスの傾斜状態示す断面図。
【図５】小孔部分の拡大断面図。
【発明を実施するための形態】
【００１５】
本発明の好適な実施形態を図１〜図５に基づいて説明する。
【００１６】
以上及び以下の説明において前後方向は図１中に示された通りである。
【００１７】
手術顕微鏡１は、手術室内において、図示せぬスタンド装置のアームに支持されている。手術顕微鏡１は、左右一対の接眼部２を顕微鏡本体３の前側に有する立体顕微鏡で、内部には下方に対物光学系４が、上方に変倍光学系５が、互いに前後方向に沿った水平状態で設置されている。対物光学系４及び変倍光学系５の後側には、それぞれプリズム６、７が設置されている。
【００１８】
顕微鏡本体３の前側の下面には光束取入口８が形成されている。この光束取入口８からその中心軸である光軸Ｋに合致した術野Ｇを観察することができる。光束取入口８は筒状で下端がネジ部９となっており、そのネジ部９が後側に傾斜している。ネジ部９には下側から透明なカバーガラス１０を有するキャップ１１が取付けられ、光束取入口８から顕微鏡本体３の内部に埃などが入らないようにされている。ネジ部９が傾斜しているため、そこに取付けられるキャップ１１のカバーガラス１０は光軸Ｋに対して非垂直状態で、後側が水平に対して角度θだけ上がった状態となっている。
【００１９】
光束取入口８の上部の光軸Ｋに合致する位置で且つ対物光学系４と同じ高さ位置には円形の上下をカットした横長形状のミラー１２が光軸Ｋに対して４５度の角度で設置されている。このミラー１２は、基本的にガラス１２ａの一面に銀鏡面１２ｂを蒸着した構造をしているが、中心部の光軸Ｋに合致した位置には銀鏡面１２ｂを形成しない小孔１３が形成されている。つまり、この小孔１３は光学的なもので、ミラー１２において物理的に開口している訳ではない。この小孔１３はガラス１２ａだけなので光を透過することができる。
【００２０】
ミラー１２の上部には照明照射部１４が設置されている。照明照射部１４は、光ケーブル１５の先端部１６と集光レンズ１７とから構成されている。先端部１６には顕微鏡本体３の後面に差し込まれたプラグ１８からの照明光Ａを光ケーブル１５を介して導入でき、そこから下向きに照射することができる。
【００２１】
照明照射部１４から下向きに照射された照明光Ａは、集光レンズ１７を透過することで集光点Ｓでいったん集光され、その後、拡散して術野Ｇを照らす。この照明照射部１４では予め集光点Ｓがちょうど小孔１３内に位置するように光学的設計がされている。そのため照明光Ａは集光点Ｓで集光した状態で小孔１３を通過するため、光量の損失がない。
【００２２】
小孔１３を通過した照明光Ａは集光点Ｓから拡散しつつ光軸Ｋに沿ったゼロ度照明となり、カバーガラス１０を透過した後に術野Ｇを照らす。真上からの照明光Ａのため、術野Ｇが穴状であっても、その底部まで確実に照らすことができる。
【００２３】
術野Ｇで反射された光束Ｌは光束取入口８から顕微鏡本体３の内部に取り入れられる。取り入れられた光束Ｌはミラー１２における小孔１３以外の部分で直角に反射され対物光学系４に導かれる。対物光学系４を通過した光束Ｌは２つのプリズム６、７により前側に折り返され、変倍光学系５を通過した後に接眼部２に導かれてるため、ドクターはこの接眼部２から術野Ｇを立体的に観察することができる。
【００２４】
ミラー１２の小孔１３を通過した照明光Ａは透明なカバーガラス１０を透過した後に術野Ｇに向けて照射されるが、透明とはいえ照明光Ａの一部はカバーガラス１０の表面で反射される。この時カバーガラス１０が光軸Ｋに対して非垂直状態で、角度θだけ傾斜しているため、照明光Ａの一部がカバーガラス１０の表面で反射されても、その反射光成分ａはミラー１２を外れた方向へ指向する（図４参照）。具体的には反射光成分ａは筒状の光束取入口８の内壁付近に当たり、反射光成分ａがミラー１２に至ることがないため、それが術野Ｇからの光束Ｌと一緒に観察用の光学系に導入されることがない。従って、カバーガラス１０の反射光成分ａが手術顕微鏡１の本来の観察性能に悪影響を与えることはない。
【符号の説明】
【００２５】
１  手術顕微鏡
２  接眼部
３  顕微鏡本体
８  光束取入口
９  ネジ部（下端）
１０  カバーガラス
１２  ミラー
１３  小孔
１４  照明照射部
Ａ  照明光
ａ  反射光成分
Ｇ  術野
Ｋ  光軸
Ｌ  光束
Ｓ  集光点
θ  角度
【図１】
2019139124.tif 000003
【図２】
2019139124.tif 000004
【図３】
2019139124.tif 000005
【図４】
2019139124.tif 000006
【図５】
2019139124.tif 000007